(57)【要約】本発明は、グリップ付き編み物用かぎ針に関し、かぎ針とグリップ部の締結を堅固にすると同時に、使用時に手の滑りを防止し、手の疲れ感と痛症を緩和させるためのものである。このために、本発明は、一方が棒形状よりなり、終端には、糸をかけるフックが形成されるかぎ針と、かぎ針の他方である基端部が締結されるグリップ部とを含み、かぎ針の基端部は、平たい棒形状よりなるグリップ付きかぎ針を提供する。また、ユーザの手が接触する部分に軟質樹脂のクッション部が形成されることができる。これにより、グリップ付きかぎ針の使用時に手の滑りを防止し、長期的な使用による手の疲れ感と痛症を緩和することができ、かぎ針がグリップから回動するか、分離することを防止することができる。
2013522488.tif 000002
【特許請求の範囲】
【請求項１】
棒形状に形成され、一端には、糸をかけるフックが形成される先端部と；
平たい棒形状に形成され、前記先端部の他端から前記先端部の長さ方向に延設する基端部と；を含み、
前記基端部の幅は、前記先端部の断面直径より広く形成されることを特徴とするかぎ針。
【請求項２】
前記基端部の厚さは、
前記先端部の断面直径より薄く形成されることを特徴とする請求項１に記載のかぎ針。
【請求項３】
前記基端部は、
前記先端部及び前記基端部を共に棒形状に形成した後、前記基端部を金型で押圧し、前記平たい棒形状に成形したことを特徴とする請求項２に記載のかぎ針。
【請求項４】
前記基端部は、
内部に少なくとも１つの貫通孔が形成されることを特徴とする請求項１に記載のかぎ針。
【請求項５】
一方が棒形状よりなり、終端には、糸をかけるフックが形成されるかぎ針と；
前記かぎ針の他方である基端部が締結されるグリップ部と；を含み、  
前記かぎ針の基端部は、平たい棒形状よりなることを特徴とするグリップ付きかぎ針。
【請求項６】
前記基端部の平たい棒形状は、
前記かぎ針の一方の棒形状の断面直径より厚さが薄く形成され、幅が広く形成されることを特徴とする請求項５に記載のグリップ付きかぎ針。
【請求項７】
前記基端部は、
前記かぎ針全体を棒形状に形成した後、前記基端部を金型で押圧し、前記平たい棒形状に成形したことを特徴とする請求項６に記載のグリップ付きかぎ針。
【請求項８】
前記グリップ部は、
上部グリップと下部グリップとを含み、
前記上部グリップ及び前記下部グリップは、同一の形状に形成され、前記上部グリップと前記下部グリップとの間に前記かぎ針の前記基端部が介在されて結合されることを特徴とする請求項５に記載のグリップ付きかぎ針。
【請求項９】
前記グリップ部は、
平たい棒形状に形成され、一方に前記かぎ針の前記基端部が挿入される結合溝が形成された下部グリップと；
前記結合溝に対応する形状よりなり、前記結合溝に挿入された前記基端部を被覆し、前記下部グリップに締結される上部グリップと；を含むことを特徴とする請求項５に記載のグリップ付きかぎ針。
【請求項１０】
前記基端部に少なくとも１つの貫通孔が形成され、
前記上部グリップまたは前記下部グリップのうち少なくともいずれか１つは、前記貫通孔と対応する位置に前記貫通孔に挿入され、前記かぎ針を固定させる少なくとも１つの結合突起が形成されることを特徴とする請求項８または９に記載のグリップ付きかぎ針。
【請求項１１】
前記上部グリップまたは前記下部グリップのうち少なくともいずれか１つは、前記基端部に対応する位置に軟質樹脂よりなるクッション部が形成されることを特徴とする請求項８または９に記載のグリップ付きかぎ針。
【請求項１２】
前記上部グリップまたは前記下部グリップのうち少なくともいずれか１つは、前記かぎ針に対応する位置にクッション挿入孔が形成され、前記クッション部は、前記クッション挿入孔に挿入されて固定されることを特徴とする請求項１１に記載のグリップ付きかぎ針。
【請求項１３】
前記クッション部は、
底面が前記基端部の扁平な面に接着されて固定されることを特徴とする請求項１２に記載のグリップ付きかぎ針。
【請求項１４】
前記上部グリップと前記下部グリップは、超音波溶着によって相互接合されることを特徴とする請求項８または９に記載のグリップ付きかぎ針。
【発明の詳細な説明】
【技術分野】
【０００１】
本発明は、グリップ付き編み物用かぎ針に関し、より詳細には、かぎ針が抜けるか、回動する現象を防止すると同時に、手の湿り気により発生する滑りを防止することができるグリップ付きかぎ針に関する。
【背景技術】
【０００２】
従来の編み物用かぎ針は、大きく、グリップ無しのかぎ針と、グリップ付きかぎ針とに区分することができる。初期には、グリップ無しのかぎ針が主に使用されてきた。このグリップ無しのかぎ針は、手で握る部分が金属や竹材質などの棒よりなるので、長時間繰り返して使用する場合、指親指と中指にかぎ針の丸くて且つ狭い面が持続的に接触し、圧迫することによって、手に痛症や疲れ感を誘発した。
【０００３】
これを改善するために、グリップ付きかぎ針が考案されて使用されている。しかし、かぎ針のグリップの大部分が合成樹脂で製造されていて、表面が滑らかで、ユーザの手で汗が出る場合、滑りやすいという短所がある。
【０００４】
一方、竹や原木で製作したものは、相対的に滑りが少ない。しかし、合成樹脂、竹、原木は、いずれもユーザの手と接触する部分の材質が堅固なので、長時間繰り返して使用する場合、相変らず手の疲れ感や痛症を誘発する短所がある。
【０００５】
従来技術によるグリップ付きかぎ針の他の短所として指摘されることは、耐久性問題である。従来の場合、大部分のかぎ針が棒形状よりなる。したがって、かぎ針とグリップ部が結合されるとき、棒形状のかぎ針がグリップ部に挿入され、接着剤などを利用してかぎ針とグリップ部を締結する方式を主に利用している。
【０００６】
このように棒形状のかぎ針と接着剤を利用する従来の方法は、接着力にのみ依存するので、耐久性が低下し、一定期間使用する場合、接着力が劣化し、かぎ針が回動するか、グリップから抜けてしまうという問題がある。
【発明の概要】
【発明が解決しようとする課題】
【０００７】
したがって、本発明は、上記問題を解決するためになされたもので、その目的は、かぎ針とグリップ部の締結を堅固にすると同時に、使用時に手の滑りを防止し、手の疲れ感及び痛症を緩和させることができるグリップ付きかぎ針を提供することにある。
【課題を解決するための手段】
【０００８】
上記目的を達成するために、本発明によるグリップ付き編み物用かぎ針は、棒形状に形成され、一端には、糸をかけるフックが形成される先端部と、平たい棒形状に形成され、先端部の他端から先端部の長さ方向に延設する基端部とを含み、基端部の幅は、先端部の断面直径より広く形成されることを特徴とする。
【０００９】
また、本発明による基端部の厚さは、先端部の断面直径より薄く形成されることを特徴とする。
【００１０】
また、本発明による基端部は、先端部及び基端部を共に棒形状に形成した後、基端部を金型で押圧し、平たい棒形状に成形したことを特徴とする。
【００１１】
また、本発明による基端部は、内部に少なくとも１つの貫通孔が形成されることを特徴とする。
【００１２】
また、本発明によるグリップ付きかぎ針は、一方が棒形状よりなり、終端には、糸をかけるフックが形成されるかぎ針と、かぎ針の他方である基端部が締結されるグリップ部とを含み、かぎ針の基端部は、平たい棒形状よりなることを特徴とする。
【００１３】
また、本発明による基端部の平たい棒形状は、かぎ針の一方の棒形状の断面直径より厚さが薄く形成され、幅が広く形成されることを特徴とする。
【００１４】
また、本発明による基端部は、かぎ針の全体を棒形状に形成した後、基端部を金型で押圧し、平たい棒形状に成形したことを特徴とする。
【００１５】
また、本発明によるグリップ部は、上部グリップ及び下部グリップを含み、上部グリップ及び下部グリップは、同一の形状に形成され、上部グリップと下部グリップとの間にかぎ針の基端部が介在されて結合されることを特徴とする。
【００１６】
また、本発明によるグリップ部は、平たい棒形状に形成され、一方にかぎ針の基端部が挿入される結合溝が形成された下部グリップと、結合溝に対応する形状よりなり、結合溝に挿入された基端部を被覆し、下部グリップに締結される上部グリップとを含むことを特徴とする。
【００１７】
また、本発明によるグリップ付きかぎ針は、基端部に少なくとも１つの貫通孔が形成され、上部グリップまたは下部グリップのうち少なくともいずれか１つは、貫通孔に対応する位置において貫通孔に挿入されてかぎ針を固定させる少なくとも１つの結合突起が形成されることを特徴とする。
【００１８】
また、本発明による上部グリップまたは下部グリップのうち少なくともいずれか１つは、基端部に対応する位置に軟質樹脂よりなるクッション部が形成されることを特徴とする。
【００１９】
また、本発明による上部グリップまたは下部グリップのうち少なくともいずれか１つは、かぎ針に対応する位置にクッション挿入孔が形成され、クッション部は、クッション挿入孔に挿入されて固定されることを特徴とする。
【００２０】
また、本発明によるクッション部は、底面が基端部の扁平な面に接着されて固定されることを特徴とする。
【００２１】
また、本発明による上部グリップと下部グリップは、超音波溶着によって相互接合されることを特徴とする。
【発明の効果】
【００２２】
本発明によれば、ユーザの手とグリップ部が接触する領域にクッション部を形成し、使用時に手の滑りを防止し、長期的な使用による手の疲れ感や痛症を緩和することができる。また、かぎ針でグリップ部と結合される部分が扁平な面形状に形成され、グリップ部に結合されるので、かぎ針が回動するか、グリップ部から分離することを防止することができる。
【図面の簡単な説明】
【００２３】
図１は、本発明の実施例によるグリップ付きかぎ針を示す斜視図である。
【００２４】
図２は、図１の分解斜視図である。
【００２５】
図３は、図１のＡ−Ａ'に沿う断面図である。
【００２６】
図４は、本発明の他の実施例によるグリップ付きかぎ針を示す分解斜視図である。
【００２７】
図５は、本発明によるグリップ付きかぎ針のさらに他の実施例を示す分解斜視図である。
【００２８】
図６は、本発明によるグリップ付きかぎ針のさらに他の実施例を示す分解斜視図である。
【発明を実施するための形態】
【００２９】
以下、本発明の好ましい実施例を添付の図面を参照して詳しく説明する。但し、下記の説明及び添付の図面において本発明の要旨を不明瞭にすることができる公知機能または構成に対する詳細な説明は省略する。また、図面全般において同一の構成要素は、できるだけ同一の参照符号で示していることに留意しなければならない。
【００３０】
以下で説明する本明細書及び請求範囲に使用された用語や単語は、通常的や辞書的な意味に限定して解釈してはならない。また、発明者は、自分の発明を最も最善の方法で説明するために用語の概念として適切に定義することができるという原則に即して本発明の技術的思想に合致する意味と概念として解釈しなければならない。したがって、本明細書に記載された実施例と図面に示された構成は、本発明の最も好ましい一実施例に過ぎないもので、本発明の技術的思想をすべて代弁するものではないので、本出願時点においてこれらを代替することができる多様な均等物と変形例があり得ることを理解しなければならない。
【００３１】
一方、本発明において、「グリップ付きかぎ針」は、後述するかぎ針とグリップ部が結合された完成品を意味し、「かぎ針」は、グリップ部を含まず、ただ先端部及び基端部よりなる針部分を意味する。
【００３２】
図１は、本発明の実施例によるグリップ付きかぎ針を示す斜視図であり、図２は、図１の分解斜視図であり、図３は、図１のＡ−Ａ'に沿う断面図である。
【００３３】
図１〜図３を参照すれば、本発明によるグリップ付きかぎ針１００は、かぎ針２とグリップ部１０を備えてなる。
【００３４】
かぎ針２は、一方（以下、先端部３という）が棒形状よりなり、終端には、糸をかけるフック５が形成される。また、かぎ針２の他方（以下、基端部４という）は、扁平な板形状、すなわち平たい棒形状よりなる。より詳しく説明すれば、本発明によるかぎ針２は、約半分が棒形状よりなり、この部分（すなわち先端部）は、後述するグリップ部１０の外部に露出する部分である。そして、かぎ針２の残りの約半分は、平たい棒形状よりなり、この部分（すなわち基端部）は、グリップ部１０の外部に露出せず、グリップ部１０の内部に挿入され、グリップ部１０に締結される部分である。ここで、棒形状よりなる部分は、棒形状よりなる部分の断面直径より広い幅に形成される。具体的には、板形状よりなる部分の幅が断面直径の３倍以上に形成されることが好ましい。
【００３５】
一方、本発明によるかぎ針２の基端部４が平たい棒形状に形成するためには、多様な方法が利用されることができる。
【００３６】
例えば、かぎ針２の全体を棒形状に製造した後、基端部４の部分を金型で押圧する工程を通じて平たい棒形状に成形することができる。このような方法を利用する場合、かぎ針２の基端部４は、かぎ針２の先端部３を形成している棒形状の断面直径より厚さが薄く、幅が広い棒形状に形成される。
【００３７】
しかし、本発明は、前述の方法に限定されず、初期製造時に、かぎ針２の基端部４を扁平な棒形状に製造するか、または製造後に当該部分を圧延するなどかぎ針２の基端部４が平たい棒形状に形成されることができる場合、多様な方法が利用されることができる。
【００３８】
グリップ部１０は、かぎ針２の基端部４が挿入されて締結され、上部グリップ６と下部グリップ８を備えて構成される。それぞれの上部グリップ６と下部グリップ８は、嵌着溝６３とクッション貫通孔２０３１及びクッション部７を備えて構成される。
【００３９】
図２に示されたように、本実施例によるグリップ部１０は、上部グリップ６と下部グリップ８が対称となる同一の形状に形成され、結合時に、図１に示されたように、平たい棒形状を有する。図２の場合、上部グリップ６と下部グリップ８のクッション挿入孔８２の形態が多少差異を示すが、これは、デザインによる差異であり、実際に同一の形状に形成してもよい。
【００４０】
グリップ部１０の一方には、かぎ針２の基端部４が挿入される。すなわち、本発明によるグリップ付きかぎ針１００は、上部グリップ６と下部グリップ８との間にかぎ針２の基端部４を介在した後、これを固定結合することによって完成する。
【００４１】
このために、上部グリップ６と下部グリップ８には、かぎ針２の基端部４と当接する部分に基端部４と同一の形状に形成される嵌着溝６３、８３が形成される。したがって、かぎ針２の基端部４は、上部グリップ６と下部グリップ８の嵌着溝６３、８３に嵌着しつつ、グリップ部１０と結合する。
【００４２】
また、本実施例によるグリップ部１０は、クッション部７を含む。クッション部７は、上部グリップ６及び下部グリップ８のうち少なくともいずれか１つに形成されることができるが、上部グリップ６及び下部グリップ８の両方に形成されることが好ましい。
【００４３】
本実施例によるクッション部７は、グリップ部１０に挿入された基端部４に対応する位置に形成され、軟質樹脂よりなる。また、クッション部７は、上部グリップ６及び下部グリップ８においてかぎ針２の基端部４に対応する位置に形成されたクッション挿入孔６２、８２に挿入されて固定される。この際、図３に示されたように、クッション部７の底面は、基端部４の扁平な面と接触し、本実施例では、接着剤（図示せず）などを介してクッション部７の底面をかぎ針２の基端部４に接着し、固定締結する。
【００４４】
しかし、本発明によるクッション部７は、前述した構成に限定されず、かぎ針２の基端部４に対応する位置に、クッション挿入孔６２ではない、溝を形成し、当該溝の内部にクッション部７を挿入固定することも可能である。また、グリップ部１０においてかぎ針２の基端部４に対応する位置全体を軟質樹脂で取り囲むことによって、クッション部７を形成するなど多様な応用が可能である。
【００４５】
一方、本発明によるグリップ部１０は、前述した形態以外にも多様な形態に応用されることができる。
【００４６】
図４は、本発明の他の実施例によるグリップ付きかぎ針を示す分解斜視図である。
【００４７】
図４を参照すれば、本実施例によるグリップ部２０は、上部グリップ２０６と下部グリップ１０８を備えて構成されるという点から前述の実施例と同様である。
【００４８】
しかし、本実施例による下部グリップ２０８は、平たいバー形状に形成され、グリップ部２０の全体形状を成していて、その一方には、かぎ針２０２の基端部２０４が挿入される嵌着溝２８３と、上部グリップ２０６が締結される結合溝２８４が形成される。上部グリップ２０６は、下部グリップ２０８の結合溝２８４に対応する形状に形成され、かぎ針２０２の基端部２０４と当接する面には、前述した実施例と同様に、基端部２０４が挿入される嵌着溝２６３が形成される。したがって、かぎ針２０２の基端部２０４は、上部グリップ２０６の嵌着溝２６３と下部グリップ２０８の嵌着溝２８３に嵌着し、グリップ部２０に締結され、上部グリップ２０６は、下部グリップ２０８の結合溝２８４に結合され、本実施例によるグリップ付きかぎ針２００を完成する。
【００４９】
このように、図１及び図４により説明した本発明によるグリップ部１０、２０は、いずれか１つの形態に限定されず、本発明による基端部４、２０４の平たい棒形状が挿入されて固定されることができる構造なら多様に応用されることができる。
【００５０】
以上のような構成を有する本発明によるグリップは、上部グリップ６、２０６と下部グリップ８、２０８が超音波溶着によって相互接合されることが好ましい。しかし、これに限定されず、接着剤を利用するなどかぎ針を介在した状態で上部グリップ６、２０６と下部グリップ８、２０８が堅固に固定締結されることができる方法なら多様に利用されることができる。
【００５１】
図５は、本発明によるグリップ付きかぎ針のさらに他の実施例を示す分解斜視図である。
【００５２】
図５を参照すれば、本実施例によるグリップ付きかぎ針３００は、前述の図４の実施例と非常に類似の構造となっており、かぎ針３０２とグリップ部３０が締結される部分において差異を有する。したがって、前述の実施例と重複する同一の部分に対しては説明を省略し、かぎ針３０２とグリップ部３０が締結される部分について重点的に説明する。
【００５３】
本実施例によるかぎ針３０２は、平たい棒形状である基端部３０４に少なくとも１つの貫通孔３０４１が形成される。そして、貫通孔３０４１に対応する下部グリップ３０８の位置には、貫通孔３０４１に挿入され、かぎ針３０２を固定させる結合突起３０８１が形成される。
【００５４】
このように結合突起３０８１と貫通孔３０４１を利用してかぎ針３０２がグリップ部３０に結合される場合、かぎ針３０２の締結状態をより堅固にすることができ、かぎ針３０２がグリップ部３０から分離するか、動くことを防止することができる。
【００５５】
一方、図５では、１つの貫通孔３０４１と、それに対応する１つの結合突起３０８１が形成されている場合を例示しているが、これに限定されず、それぞれ２つ以上またはさらに多い数を形成して利用することも可能である。
【００５６】
また、図５では、下部グリップ３０８に結合突起３０８１が形成される場合を例示しているが、これに限定されず、上部グリップ（図示せず）に結合突起３０８１が形成されるか、または、結合突起３０８１の長さを調節し、上部グリップ（図示せず）及び下部グリップ３０８に共に形成されるように構成するなど多様な応用が可能である。
【００５７】
図６は、本発明によるグリップ付きかぎ針のさらに他の実施例を示す分解斜視図である。
【００５８】
図６を参照すれば、本実施例によるグリップ付きかぎ針４００は、前述した図２の実施例と非常に類似の構造となっており、かぎ針４０２の基端部４０４の形状において差異を有する。したがって、前述の実施例と重複する同一の部分に対しては、説明を省略し、かぎ針４０２の基端部４０４の形状に対して重点的に説明する。
【００５９】
本実施例によるかぎ針４０２は、平たい棒形状を有する基端部４０４が長く延長され、グリップ部４０の長さと類似の長さに形成される。これにより、上部グリップ４０６と下部グリップ４０８に形成される嵌着溝４６３、４８３も基端部４０４の形状に沿って長く形成される。このように基端部４０４を長く形成する場合、先端部４０３を介して入力される外力を長く延長した基端部４０４の全体を通じて効果的に分散させることができるという利点がある。
【００６０】
以上のように構成される本発明によるグリップ付きかぎ針は、かぎ針の基端部が平たい棒形状よりなる。したがって、図１のＢ方向にかぎ針に力が加えられる場合にも、かぎ針の基端部が板形状にグリップ部に締結されているので、かぎ針の先端部に加えられる回転力Ｂが基端部の板形状の全体を通じてグリップ部に分散されながら伝達される。したがって、かぎ針がグリップ部から抜けるか、回動する現象を防止することができ、さらに、外力によってかぎ針とグリップ部の締結部位が破損される場合を最小化することができる。
【００６１】
また、本発明によるグリップ付きかぎ針は、クッション部を具備するので、編み物を長時間繰り返して行うときに誘発される手の疲れ感や痛症を緩和することができ、使用時に発生する汗による滑りを防止することができる。
【００６２】
なお、本明細書と図面に開示された本発明の実施例は、理解を助けるために特定例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【００６３】
例えば、本発明では、グリップ部が平たいバー形状よりなる場合を例示して説明したが、これに限定されず、かぎ針の基端部が挿入されて固定されることができる場合、円筒状や四角形のバー形状など多様な形状に形成されることができる。
【００６４】
また、本発明では、かぎ針だけについて具体的に説明したが、かぎ針ではないとしても、棒形状の針とグリップを締結する構造なら多様に適用されることができる。
【図１】
2013522488.tif 000003
【図２】
2013522488.tif 000004
【図３】
2013522488.tif 000005
【図４】
2013522488.tif 000006
【図５】
2013522488.tif 000007
【図６】
2013522488.tif 000008
【国際調査報告】
2013522488.tif 000009
2013522488.tif 000010
2013522488.tif 000011
2013522488.tif 000012